【手続補正書】
【提出日】平成16年4月6日(2004.4.6)
【手続補正１】
【補正対象書類名】明細書
【補正対象項目名】全文
【補正方法】変更
【補正の内容】
【発明の名称】照明装置
【特許請求の範囲】
【請求項１】開口部を有し、開口部の一端側と他端側とを結ぶ方向に沿って管軸が配置されるランプを内包する反射体と；
反射体の開口部に対向される透光性カバーと；
透光性カバーと平行に配置され、反射体の開口部の一端側を底辺とするとともにランプの管軸を頂点とするほぼ三角形状を有した平板状に形成され、反射体の一端側へ向かうランプからの直接光を遮光する遮光体と；
を具備していることを特徴とする照明装置。
【請求項２】開口部を有し、開口部の一端側と他端側とを結ぶ方向に沿って管軸が配置されるランプを内包する反射体と；
反射体の開口部に対向される透光性カバーと；
透光性カバーと平行に配置され、反射体の一端側を覆いランプの管軸を頂点とするように平板状に形成され、反射体の一端側へ向かうランプからの直接光を遮光する遮光体と；
を具備していることを特徴とする照明装置。
【請求項３】ランプを内包する反射体と；
反射体の一端側へ向かうランプからの直接光を遮光する第１の遮光体と；
反射体の一端側へ向かう反射体からの反射光を遮光する第２の遮光体と；
を具備していることを特徴とする照明装置。
【請求項４】反射体は、開口部を有し、開口部の一端側と他端側とを結ぶ方向に沿って管軸が配置されるランプを内包し、
第１の遮光体は、反射体の一端側の開口部分に配置され、反射体の一端側を底辺とするとともにランプの管軸を頂点とするほぼ三角形状を有した平板状に形成され、
第２の遮光体は、反射体の他端側のランプに対向する反射体部分に配置されていることを特徴とする請求項３記載の照明装置。
【請求項５】反射体を内包する器具本体、および反射体の開口部に対向される透光性カバーを有し、
第１の遮光体および第２の遮光体は、反射体および透光性カバーのいずれか一方に設けられていることを特徴とする請求項３または４記載の照明装置。
【発明の詳細な説明】
【０００１】
【発明の属する技術分野】
本発明は、照明範囲を制御する照明装置に関する。
【０００２】
【従来の技術】
従来、例えば、道路用照明装置では、道路脇に設置されたポールや電柱の上部側に取り付けられ、道路（車道および歩道を含む）の照明を行なうようにしている。
【０００３】
このような道路用照明装置では、道路の外側の民家などへの光漏れが生じるのを防止するため、反射体の形状を工夫したり、遮光体を用いて道路外への光を遮光するようにしている。遮光体を用いる場合、１つの遮光体で、ランプからの直接光、および反射体からの反射光の両方を遮光するようにしている。
【０００４】
【発明が解決しようとする課題】
しかしながら、従来のように、遮光体を用いる場合、１つの遮光体で、ランプからの直接光および反射光を遮光しようとすると、照明装置内での遮光体の位置や大きさの規制によって光漏れの低減が十分でなかったり、あるいは、遮光不要な直接光や反射光を余分に遮光してしまい、道路の照明効率が低下し、道路脇が暗くなるなどの問題を有している。
【０００５】
本発明は、このような点に鑑みなされたもので、ランプからの直接光および反射光の遮光をそれぞれ適切に行なえ、照明範囲外への光漏れを十分に低減できるとともに、照明範囲内への照明効率を向上できる照明装置を提供することを目的とする。
【０００６】
【課題を解決するための手段】
請求項１記載の照明装置は、開口部を有し、開口部の一端側と他端側とを結ぶ方向に沿って管軸が配置されるランプを内包する反射体と；反射体の開口部に対向される透光性カバーと；透光性カバーと平行に配置され、反射体の開口部の一端側を底辺とするとともにランプの管軸を頂点とするほぼ三角形状を有した平板状に形成され、反射体の一端側へ向かうランプからの直接光を遮光する遮光体と；を具備しているもので、遮光体によって、照明範囲外への直接光の遮光を適切に行ない、照明範囲外への光漏れを十分に低減するとともに照明範囲内への照明効率を向上させる。
【０００７】
請求項２記載の照明装置は、開口部を有し、開口部の一端側と他端側とを結ぶ方向に沿って管軸が配置されるランプを内包する反射体と；反射体の開口部に対向される透光性カバーと；透光性カバーと平行に配置され、反射体の一端側を覆いランプの管軸を頂点とするように平板状に形成され、反射体の一端側へ向かうランプからの直接光を遮光する遮光体と；を具備しているもので、遮光体によって、照明範囲外への直接光の遮光を適切に行ない、照明範囲外への光漏れを十分に低減するとともに照明範囲内への照明効率を向上させる。
【０００８】
請求項３記載の照明装置は、ランプを内包する反射体と；反射体の一端側へ向かうランプからの直接光を遮光する第１の遮光体と；反射体の一端側へ向かう反射体からの反射光を遮光する第２の遮光体と；を具備しているもので、これら第１の遮光体および第２の遮光体によって、照明範囲外への直接光および反射光の遮光をそれぞれ適切に行ない、照明範囲外への光漏れを十分に低減するとともに照明範囲内への照明効率を向上させる。
【０００９】
請求項４記載の照明装置は、請求項３記載の照明装置において、反射体は、開口部を有し、開口部の一端側と他端側とを結ぶ方向に沿って管軸が配置されるランプを内包し、第１の遮光体は、反射体の一端側の開口部分に配置され、反射体の一端側を底辺とするとともにランプの管軸を頂点とするほぼ三角形状を有した平板状に形成され、第２の遮光体は、反射体の他端側のランプに対向する反射体部分に配置されているもので、これら第１の遮光体および第２の遮光体の配置によって照明範囲外への直接光および反射光の遮光をそれぞれ適切に行なうとともに、第１の遮光体の形状によって照明範囲外への直接光を確実に遮光するとともに照明範囲内への照明効率を向上させる。
【００１０】
請求項５記載の照明装置は、請求項３または４記載の照明装置において、反射体を内包する器具本体、および反射体の開口部に対向される透光性カバーを有し、第１の遮光体および第２の遮光体は、反射体および透光性カバーのいずれか一方に設けられているもので、第１の遮光体および第２の遮光体を容易に組み込み可能とする。
【００１１】
【発明の実施の形態】
以下、本発明の一実施の形態を図面を参照して説明する。
【００１２】
図１ないし図３に第１の実施の形態を示し、図１は照明装置の断面図、図２は照明装置の底面図、図３(a) は遮光体有りの場合の照度分布を示す説明図、図３(b) は遮光体無しの比較例の場合の照度分布を示す説明図である。
【００１３】
図１および図２において、照明装置として道路用照明装置を示し、この道路用照明装置は、例えば一般道や高速道路などの道路脇に設置されたポールや電柱に取り付けられ、道路（車道および歩道を含む）の照明を行なう。
【００１４】
この道路用照明装置は、器具本体11を有し、この器具本体11は、一端の基端側が幅広で他端の先端側がやや先細りとなる箱状に形成され、下面に開口部12が形成されている。器具本体11の基端側にはポールなどに取り付けられる取付部13が形成されている。
【００１５】
器具本体11の開口部12には透光性カバー14が開閉可能に連結されている。この透光性カバー14は、透光性を有するガラス板15、このガラス板15の周縁を保持する保持枠16を有し、この保持枠16の基端側が開口部12の基端側に図示しないヒンジによって回動可能に連結され、保持枠16の先端側が図示しない係止構造によって開口部12の閉止状態で着脱可能に係止される。開口部12の周縁にはパッキング17が取り付けられ、透光性カバー14が閉じられたときに、透光性カバー14がパッキング17に密着して液密に保たれる。
【００１６】
また、器具本体11内には、反射体取付部材18を介して器具本体11に取り付けられた反射体19が配置されている。この反射体19は、複数に分割形成または一体に形成され、下面に開口部20が形成され、内面が鏡面あるいは白色面に形成されている。
【００１７】
反射体19の基端側にはソケット21が取り付けられ、このソケット21に、反射体19内に内包されるランプ22が着脱可能に接続されている。このランプ22は、例えば高圧放電ランプである片口金形のナトリウムランプなどであり、口金がソケット21に接続された状態で、管軸方向が器具本体11および反射体19の基端側と先端側とを結ぶ線に平行になるとともに開口部12，20とほぼ平行になるように、反射体19内に内包配置される。
【００１８】
また、反射体19の基端側の開口部20の部分には、反射体19の基端側へ向かうランプ22からの直接光を遮光する遮光体としての第１の遮光体23が配置されている。この第１の遮光体23は、反射体19の開口部20および透光性カバー14に対してほぼ平行な状態で反射体19の下端部に取り付けられており、少なくとも外表面が艶消し黒色のほぼ平板状に形成され、かつ、反射体19の基端側を底辺23a とするとともにランプ22の管軸を頂点23b とするほぼ三角形状に形成されている。底辺23a から頂点23b に至る辺23c は直線状に形成されている。
【００１９】
また、反射体19の先端側のランプ22に対向する反射体19の内面部分には、反射体19の基端側へ向かう反射体19からの反射光を遮光する第２の遮光体24が配置されている。この第２の遮光体24は、反射体19の内面に取り付けられており、少なくとも外表面が艶消し黒色に形成されている。
【００２０】
なお、第１の遮光体23および第２の遮光体24の位置および形状は、道路外からの逆レイトレース法によって求められる。
【００２１】
そして、道路用照明装置を設置する際、道路用照明装置の基端側が道路外、および先端側が道路内に向くとともに、ランプ22の管軸が道路幅方向に沿うように設置される。
【００２２】
このように構成された道路用照明装置では、第１の遮光体23によって基端側へのランプ22の直接光を遮光するとともに、第２の遮光体24によって基端側への反射体19で反射する反射光を遮光するので、これら第１の遮光体23および第２の遮光体24によって分担して、照明範囲外である道路外への直接光および反射光の遮光をそれぞれ適切に行なえる。そのため、道路外への直接光および反射光の光漏れを十分に低減でき、しかも、遮光不要な直接光や反射光を余分に遮光してしまうことがなく、照明範囲内である道路内への照明効率を向上できる。
【００２３】
さらに、第１の遮光体23は反射体19の基端側の開口部20の部分に配置し、第２の遮光体24は反射体19の先端側のランプ22に対向する反射体19の部分に配置するので、これら第１の遮光体23および第２の遮光体24の配置によって、道路外への直接光および反射光の遮光をそれぞれ適切に行なえる。
【００２４】
さらに、第１の遮光体23は反射体19の基端側を底辺23a とするとともにランプ22の管軸を頂点23b とするほぼ三角形状に形成することにより、道路外への直接光の遮光を確実にできるとともに道路内への照明効率をより向上できる。
【００２５】
そして、第１の遮光体23および第２の遮光体24が有る場合の照度分布の結果を図３(a) に示し、また、比較例として遮光体無しの場合の照度分布の結果を図３(b) に示す。なお、図３(a)(b)において、横軸は道路の長手方向、縦軸は道路の幅方向、Ａは道路用照明装置の基端側、Ｂは道路用照明装置の先端側にそれぞれ対応する。
【００２６】
この照度分布の結果からも分かるように、遮光体有りの場合は、遮光体無しの場合に比べて、基端側Ａの照度が高くなるとともに道路長手方向に広がる配光となった。これは、前述したように、第１の遮光体23および第２の遮光体24により、道路外への光漏れが防止されて、道路内の照明効率が向上した結果が示された。
【００２７】
また、第１の遮光体23および第２の遮光体24を反射体19に取り付けることにより、反射体19と一体的に器具本体11に容易に組み付けることができる。
【００２８】
次に、図４に第２の実施の形態を示し、図４は照明装置の底面図である。
【００２９】
第１の遮光体23は、ほぼ三角形状に形成されているが、底辺23a から頂点23b に至る辺23c が２次曲線状に形成されている。このように、辺23c を２次曲線状に形成することにより、道路用照明器具の大きさや形状などに適切に対応しやすく、道路外への直接光の遮光を確実にできるとともに道路内への照明効率をより向上できる。
【００３０】
次に、図５に第３の実施の形態を示し、図５は照明装置の断面図である。
【００３１】
第１の遮光体23および第２の遮光体24を透光性カバー14に取り付けており、これにより、第１の遮光体23および第２の遮光体24を透光性カバー14と一体的に器具本体11に容易に組み付けることができる。
【００３２】
第１の遮光体23を透光性カバー14に取り付ける場合には、透光性カバー14の開閉に伴って第１の遮光体23が器具本体11の開口部12から進退可能に構成する。
【００３３】
なお、第２の遮光体24は、反射体19の内面の一部を艶消し黒色に塗布することによって形成してもよい。
【００３４】
また、第１の遮光体23および第２の遮光体24のいずれか一方のみを設けた場合でも、対応する作用効果を奏する。
【００３５】
【発明の効果】
請求項１記載の照明装置によれば、反射体の開口部の一端側を底辺とするとともにランプの管軸を頂点とするほぼ三角形状を有した平板状に形成された遮光体によって、反射体の一端側へのランプの直接光を遮光するので、この遮光体によって、照明範囲外への直接光の遮光を適切に行なえ、照明範囲外への光漏れを十分に低減できるとともに照明範囲内への照明効率を向上できる。
【００３６】
請求項２記載の照明装置によれば、反射体の一端側を覆いランプの管軸を頂点とするように平板状に形成された遮光体によって、反射体の一端側へのランプの直接光を遮光するので、この遮光体によって、照明範囲外への直接光の遮光を適切に行なえ、照明範囲外への光漏れを十分に低減できるとともに照明範囲内への照明効率を向上できる。
【００３７】
請求項３記載の照明装置によれば、第１の遮光体によって反射体の一端側へのランプの直接光を遮光するとともに、第２の遮光体によって反射体の一端側への反射体で反射する反射光を遮光するので、これら第１の遮光体および第２の遮光体によって、照明範囲外への直接光および反射光の遮光をそれぞれ適切に行なえ、照明範囲外への光漏れを十分に低減できるとともに照明範囲内への照明効率を向上できる。
【００３８】
請求項４記載の照明装置によれば、請求項３記載の照明装置の効果に加えて、第１の遮光体は、反射体の一端側の開口部分に配置し、反射体の一端側を底辺とするとともにランプの管軸を頂点とするほぼ三角形状を有した平板状に形成し、また、第２の遮光体は、反射体の他端側のランプに対向する反射体部分に配置するので、これら第１の遮光体および第２の遮光体の配置によって照明範囲外への直接光および反射光の遮光をそれぞれ適切に行なえ、第１の遮光体の形状によって照明範囲外への直接光を確実に遮光するとともに照明範囲内への照明効率を向上できる。
【００３９】
請求項５記載の照明装置によれば、請求項３または４記載の照明装置の効果に加えて、第１の遮光体および第２の遮光体は反射体および透光性カバーのいずれか一方に設けるので、第１の遮光体および第２の遮光体を容易に組み込める。
【図面の簡単な説明】
【図１】本発明の第１の実施の形態を示す照明装置の断面図である。
【図２】同上照明装置の底面図である。
【図３】同上(a) は遮光体有りの場合の照度分布を示す説明図、(b) は遮光体無しの比較例の場合の照度分布を示す説明図である。
【図４】本発明の第２の実施の形態を示す照明装置の底面図である。
【図５】本発明の第３の実施の形態を示す照明装置の断面図である。
【符号の説明】
11    器具本体
14    透光性カバー
19    反射体
20 開口部
22    ランプ
23    遮光体としての第１の遮光体
23a   底辺
24    第２の遮光体